Podtech/llm-jp-corpus-v4-ja_patent huggingface dataset:
【手続補正書】
【提出日】平成17年6月10日(2005.6.10)
【手続補正１】
【補正対象書類名】特許請求の範囲
【補正対象項目名】全文
【補正方法】変更
【補正の内容】
【特許請求の範囲】
【請求項１】
想定される全てのアミノ酸または活性成分の合計に対し、その合計が８０重量％未満のプロリン、グリシンおよびリジン；
想定される全てのアミノ酸または活性成分の合計に対し、その合計が２〜６０重量％の、ロイシン、イソロイシンおよびトレオニン；
バリン；
フェニルアラニン、ヒスチジン、トリプトファンおよびメチオニンからなる群から選択される１以上の他の必須アミノ酸
を含有する、外傷および損傷の治癒および／または修復のためのアミノ酸を基礎とする組成物であって、
トレオニンとリジンの分子量として示される量がそれぞれ、該他の必須アミノ酸の個々の量の合計よりも大きく、
トレオニンの量がグリシン、プロリン、リジン、ロイシン、イソロイシンおよびバリンの個々の量よりも小さく；
リジンの量がグリシン、プロリン、ロイシンの個々の量よりも小さいことを特徴とする組成物。
【請求項２】
トレオニンおよびリジンの分子量として示される量の合計が、
グリシンおよびプロリンの個々の量の合計よりも小さく；および／または
ロイシン、イソロイシンおよびバリンの個々の量の合計よりも小さい、
ことを特徴とする請求項１記載の組成物。
【請求項３】
ロイシン、イソロイシン、バリンおよびトレオニンの合計が、想定される全てのアミノ酸または活性成分の合計の７５重量％未満である、請求項１記載の組成物。
【請求項４】
更なる活性成分としてメチオニンおよびチロシンを含有することを特徴とする、請求項１記載の組成物。
【請求項５】
更なる活性成分としてシスチンおよびシステインを、メチオニンに対して等モル〜２：１よりも高い割合で含有することを特徴とする、請求項１〜４のいずれかに記載の組成物。
【請求項６】
１以上の更なるアミノ酸を含有し、分子量で表されるその合計が、他の活性成分の合計に対して２０％未満であり、さらなる個々のアミノ酸のそれぞれに対して１０％未満であることを特徴とする、請求項５記載の組成物。
【請求項７】
想定されるアミノ酸の合計に対して８重量％〜４０重量％のグリシン；
想定されるアミノ酸の合計に対して７重量％〜４０重量％のプロリン；
想定されるアミノ酸の合計に対して３重量％〜３５重量％のリジン
を含有し、グリシン、プロリンおよびリジンの合計が、想定されるアミノ酸の合計に対して１８重量％以上であることを特徴する、請求項１〜６のいずれかに記載の組成物。
【請求項８】
想定されるアミノ酸の合計に対して４重量％〜３５重量％のロイシン；
想定されるアミノ酸の合計に対して２重量％〜２０重量％のイソロイシン；
想定されるアミノ酸の合計に対して２重量％〜２０重量％のバリン；
想定されるアミノ酸の合計に対して２０重量％未満のトレオニン
を含有することを特徴とする、請求項１〜７のいずれかに記載の組成物。
【請求項９】
想定されるアミノ酸の合計に対してロイシン、イソロイシン、バリンおよびトレオニンの合計が１０重量％〜５０重量％であることを特徴とする、請求項１〜８のいずれかに記載の組成物。
【請求項１０】
ロイシン、イソロイシンおよびバリンの化学量論的比率が２：１：１であることを特徴とする、請求項８に記載の組成物。
【請求項１１】
トレオニンおよびリジンが、ロイシン、イソロイシンおよびバリンに対して互いに２０％〜７０％のモル比であり、トレオニンとリジンの割合が、リジンがトレオニンよりも多い割合であることを特徴とする、請求項１〜１０のいずれかに記載の組成物。
【請求項１２】
ヒスチジンが、以下のアミノ酸の５０％未満の割合で存在することを特徴とする、請求項１〜１１のいずれかに記載の組成物：
シスチンおよびシステイン並びにメチオニン；
フェニルアラニンおよびチロシン;
分子量として他の全てのアミノ酸の重量の５％未満のモル比のトリプトファン。
【請求項１３】
想定される全てのアミノ酸または活性成分の合計に対し、その合計が８０重量％未満のプロリン、グリシンおよびリジン；
想定される全てのアミノ酸または活性成分の合計に対し、その合計が２〜６０重量％の、ロイシン、イソロイシンおよびトレオニン；
バリン；
フェニルアラニン、ヒスチジン、トリプトファンおよびメチオニンからなる群から選択される１以上の他の必須アミノ酸
を使用する外傷および損傷の治癒および／または修復のための治療に適したアミノ酸を基礎とする組成物の製造方法であって、
トレオニンとリジンの分子量として示される量がそれぞれ、該他の必須アミノ酸の個々の量の合計よりも大きく、
トレオニンの量がグリシン、プロリン、リジン、ロイシン、イソロイシンおよびバリンの個々の量よりも小さく；
リジンの量がグリシン、プロリン、ロイシンの個々の量よりも小さいことを特徴とする製造方法。
【請求項１４】
トレオニンおよびリジンの分子量として示される量の合計が、
グリシンおよびプロリンの個々の量の合計よりも小さく；および／または
ロイシン、イソロイシンおよびバリンの個々の量の合計よりも小さい
ことを特徴とする、請求項１３記載の製造方法。
【請求項１５】
更なる活性成分としてメチオニンおよびチロシンを使用することを特徴とする、請求項１３記載の製造方法。
【請求項１６】
更なる活性成分としてシスチンおよびシステインを、メチオニンに対して等モル〜２：１よりも高い割合で使用することを特徴とする、請求項１３〜１５のいずれかに記載の製造方法。
【請求項１７】
分子量で表されるその合計が、他の活性成分の合計に対して２０％未満であり、さらなる個々のアミノ酸のそれぞれに対して１０％未満である１以上の更なるアミノ酸を使用することを特徴とする、請求項１６に記載の製造方法。
【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
酸化ストレスの状態や除脂肪筋肉重量の減少およびエネルギー産生の減少を解消することで，慢性消耗病症に対処する為の栄養サプリメントであって， 
１）脂質およびタンパク質から成るグループから選択された植物由来の担体と組み合わされる，経口投与可能なスーパオキシドジムスターゼ（ＳＯＤ）， 
２）ミトコンドリア／エネルギーのサポート成分，および  
３）組織衰弱を低減可能な成分
との組み合わせから成る栄養サプリメント。
【請求項２】
ＳＯＤは穀物から抽出したタンパク質プロナミン担体と組み合わせられて成る請求項１の栄養サプリメント。
【請求項３】
ＳＯＤはグリアジンと組み合わせられて成る請求項１の栄養サプリメント。
【請求項４】
前記ミトコンドリア／エネルギーのサポート成分は，Ｄ−リボース，Ｌ−カルニチン，およびコエンザイム  Ｑ１０から成るグループから選択されたものであることから成る請求項１の栄養サプリメント。
【請求項５】
前記組織衰弱低減可能成分はオルニチンアルファーケトグルタン酸（ＯＫＧ）であることから成る請求項１の栄養サプリメント。
【請求項６】
前記ミトコンドリア／エネルギーのサポート成分はＤーリボース，Ｌーカルニチン，およびコエンザイム  Ｑ１０から成るグループから選択されたもので，かつ前記組織衰弱低減可能成分はＯＫＧであることから成る請求項２の栄養サプリメント。 
【請求項７】
酸化ストレスの状態や除脂肪筋肉重量の減少およびエネルギー産生の減少を解消することで，慢性消耗病症に対処する為の栄養サプリメントであって，
１）グリアジン担体中の経口投与可能なスーパオキシドジムスターゼ（ＳＯＤ），
２）Ｄーリボース，Ｌーカルニチン，およびコエンザイム  Ｑ１０から成るグループから選択されたミトコンドリア／エネルギーのサポート成分，および
３）除脂肪筋肉の減量を少なくするオルニチンアルファーケトグルタン酸
との組み合わせで，それぞれ有効な量から成る栄養サプリメント。
【請求項８】
一日の投薬量に基づきＳＯＤが２００乃至５００ユニット含んで成る請求項７の栄養サプリメント。
【請求項９】
前記スーパオキシドジムスターゼ（ＳＯＤ）は，ベータグルカン，ヌクレオチドおよび果実ポリフェノールから成るグループから選択された抗酸化剤を更に含んで成る請求項７の栄養サプリメント。
【請求項１０】
前記オルニチンアルファーケトグルタン酸は，未変性乳清タンパク質，インスタント化カゼインおよび分枝鎖アミノ酸から成るグループの一要素を更に含んで成る請求項７の栄養サプリメント。 
【請求項１１】
香味料を更に含み，水および／又はミルクと容易に混和可能であることから成る請求項７の栄養サプリメント。
【請求項１２】
一日の投薬量を基づき
ＳＯＤの成分が２００乃至５００ユニット，
ミトコンドリア／エネルギーのサポート成分が３００乃至１０００ｍｇ，
オルニチンアルファーケトグルタン酸の成分が２０００乃至５０００ｍｇ
をそれぞれ含んで成る請求項７の栄養サプリメント。
【手続補正書】
【提出日】平成17年6月10日(2005.6.10)
【手続補正１】
【補正対象書類名】特許請求の範囲
【補正対象項目名】全文
【補正方法】変更
【補正の内容】
【特許請求の範囲】
【請求項１】
接合体のVmaxは、PEPT2輸送体に対するGly-Sarの少なくとも1％であり、薬剤は、接合体部分を含まなくても薬学的活性を有し、かつPEPT2に対する接合体のVmaxは接合体部分を含まない薬剤よりも大きい、PEPT2輸送体に対する基質である接合体部分に連結した薬剤を含む接合体。
【請求項２】
経口送達用の担体と共に製剤化されている、請求項1記載の接合体。
【請求項３】
薬剤が経口的に活性である、請求項1記載の接合体。
【請求項４】
PEPT2輸送体に対する接合体のVmaxが、PEPT2に対する基質Gly-SarのVmaxの少なくとも50％である、請求項1記載の接合体。
【請求項５】
PEPT2輸送体に対する接合体部分を含まない薬剤のVmaxが、PEPT2に対する基質Gly-SarのVmaxの1％未満である、請求項1記載の接合体。
【請求項６】
接合体とGly-Sarの間のVmax比が、PEPT1輸送体に対するよりもPEPT2輸送体に対する方が大きい、請求項1記載の接合体。
【請求項７】
リンカーが、インビボで切断可能な共有結合を含む、請求項1記載の接合体。
【請求項８】
固体コーティングが、徐放性製剤として接合体を封入している、請求項1記載の接合体。
【請求項９】
PEPT2輸送体を介した輸送について薬剤、接合体、または接合体部分をスクリーニングする方法であって、以下の段階を含む方法：
PEPT2輸送体を発現する細胞を提供する段階；
細胞を薬剤、接合体、または接合体部分と接触させる段階；ならびに
薬剤、接合体、または接合体部分が、輸送体によって細胞中に入るかどうか、および/または細胞を透過するかどうかを判定する段階。
【請求項１０】
細胞を、PEPT2輸送体をコードするDNAでトランスフェクトする、請求項9記載の方法。
【請求項１１】
細胞が、検出可能なPEPT1受容体を全く有さない、請求項9記載の方法。
【請求項１２】
PEPT1輸送体を発現しかつPEPT2輸送体を欠失している第二細胞を提供する段階；
細胞を、薬剤、接合体、または接合体部分と接触させる段階；および
薬剤、接合体、または接合体部分が輸送体を透過するかどうかを判定する段階
をさらに含む、請求項9記載の方法。
【請求項１３】
薬剤、接合体、または接合体部分が、PEPT1ではなくPEPT2によって輸送される、請求項9記載の方法。
【請求項１４】
以下の段階を含む、薬学的組成物の製造法：
接合体が、基質Gly-SarのVmaxの少なくとも1％のVmaxでPEPT2輸送体により輸送される、薬剤を接合体部分に連結して接合体を形成させる段階；および
接合体を担体と共に薬学的組成物として製剤化する段階。
【請求項１５】
PEPT2輸送体に対する接合体のVmaxが、PEPT2に対する基質Gly-SarのVmaxの少なくとも50％である、請求項14記載の方法。
【請求項１６】
PEPT2輸送体に対する薬剤のVmaxが、PEPT2に対する基質Gly-SarのVmaxの1％未満である、請求項14記載の方法。
【手続補正書】
【提出日】平成17年5月27日(2005.5.27)
【手続補正１】
【補正対象書類名】特許請求の範囲
【補正対象項目名】全文
【補正方法】変更
【補正の内容】
【特許請求の範囲】
【請求項１】
医薬品として使用するための、式１：
【化１】
2005501008.tif 000001
［式中、
ＲはＣ１-Ｃ６-アルキル、Ｃ３-Ｃ８-シクロアルキル、またはアリールであり、
Ｍ＋は陽イオン等価物であり、
ｎは１〜３の整数である］
で表される金属塩。
【請求項２】
Ｍが銅、亜鉛、ニッケルおよびコバルトからなる群から選択される２価の金属陽イオンである、請求項１に記載の金属塩。
【請求項３】
金属陽イオンが銅陽イオンである、請求項２に記載の金属塩。
【請求項４】
ビス（Ｎ-シクロヘキシルジアゼニウムジオキシ）銅である、請求項１〜３のいずれかに記載の金属塩。
【請求項５】
ミコビオント(mycobionts)関連疾病の治療のための、請求項１〜４のいずれかに記載の金属塩。
【請求項６】
少なくとも１種の請求項１に記載の式１で表される化合物と、少なくとも１種の薬学的に許容可能な担体および／または添加物を含有する医薬組成物。
【請求項７】
請求項１〜４のいずれかに記載の金属塩をベースとした少なくとも１種の組成物と、治療的使用法の指示書とを備えた、個装形態の組み合わせ製品。
【請求項８】
抗真菌活性量の、請求項１〜４のいずれかに記載の式１で表される化合物を、ミコビオント関連疾病の治療を必要とするヒトを除く動物に投与する、ミコビオント関連疾病の治療法。
【請求項９】
ミコビオント関連疾病の治療のための医薬組成物の調製のための、請求項１に記載の式１［式中、ＲがＣ１-Ｃ６-アルキル、Ｃ３-Ｃ８-シクロアルキル、またはアリールであり、Ｍ＋が陽イオン等価物であり、ｎが１〜３の整数である］で表される金属塩の使用。
【手続補正書】
【提出日】平成17年8月4日(2005.8.4)
【手続補正１】
【補正対象書類名】特許請求の範囲
【補正対象項目名】全文
【補正方法】変更
【補正の内容】
【特許請求の範囲】
【請求項１】
次式（Ｉ）で表される化合物または薬学的に許容される該化合物の塩：
【化１】
2005501072.tif 000001
式中のＲ１〜Ｒ６の意義は次の通りである：
Ｒ１は水素原子、ハロゲン原子、ヒドロキシ基、ニトロ基、シアノ基、フェニル基、トリフルオロメチル基、Ｃ１〜Ｃ６アルキル基、Ｃ１〜Ｃ６アルコキシ基、カルボキシ基、アミノ基、シクロヘキシル基、Ｃ１〜Ｃ６アルキルアミノ基、または（Ｃ１〜Ｃ６アルキル）２アミノ基を示す。
Ｒ２は水素原子、ハロゲン原子、ヒドロキシ基、ニトロ基、シアノ基、トリフルオロメチル基、Ｃ１〜Ｃ６アルキル基、Ｃ１〜Ｃ６アルコキシ基、カルボキシ基、アミノ基、Ｃ１〜Ｃ６アルキルアミノ基、または（Ｃ１〜Ｃ６アルキル）２アミノ基を示す。
Ｒ３は次式で表されるいずれかの基を示す：
【化２】
2005501072.tif 000002
【化３】
2005501072.tif 000003
【化４】
2005501072.tif 000004
【化５】
2005501072.tif 000005
【化６】
2005501072.tif 000006
【化７】
2005501072.tif 000007
【化８】
2005501072.tif 000008
【化９】
2005501072.tif 000009
【化１０】
2005501072.tif 000010
【化１１】
2005501072.tif 000011
Ｒ４は水素原子またはＣ１〜Ｃ６アルキル基を示す。
Ｒ５は水素原子、ハロゲン原子、ヒドロキシ基、ニトロ基、シアノ基、フェニル基、トリフルオロメチル基、Ｃ１〜Ｃ６アルキル基、Ｃ１〜Ｃ６アルコキシ基、カルボキシ基、アミノ基、Ｃ１〜Ｃ６アルキルアミノ基、または（Ｃ１〜Ｃ６アルキル）２アミノ基を示す。
Ｒ６は水素原子、ハロゲン原子、ヒドロキシ基、ニトロ基、シアノ基、トリフルオロメチル基、Ｃ１〜Ｃ６アルキル基、Ｃ１〜Ｃ６アルコキシ基、カルボキシ基、アミノ基、Ｃ１〜Ｃ６アルキルアミノ基または（Ｃ１〜Ｃ６アルキル）２アミノ基を示す。
【請求項２】
Ｒ３が次式で表されるいずれかの基を示す請求項１記載の化合物：
【化１２】
2005501072.tif 000012
【化１３】
2005501072.tif 000013
【化１４】
2005501072.tif 000014
【請求項３】
Ｒ１が水素原子、ハロゲン原子、ヒドロキシ基、Ｃ１〜Ｃ６アルキル基、Ｃ１〜Ｃ６アルコキシ基、アミノ基、シクロヘキシル基、Ｃ１〜Ｃ６アルキルアミノ基、または（Ｃ１〜Ｃ６アルキル）２アミノ基を示し、Ｒ２が水素原子、ハロゲン原子、ヒドロキシ基、Ｃ１〜Ｃ６アルキル基、Ｃ１〜Ｃ６アルコキシ基、アミノ基、Ｃ１〜Ｃ６アルキルアミノ基または（Ｃ１〜Ｃ６アルキル）２アミノ基を示す請求項２記載の化合物。
【請求項４】
Ｒ５が水素原子、ハロゲン原子、ヒドロキシ基、Ｃ１〜Ｃ６アルキル基、Ｃ１〜Ｃ６アルコキシ基、アミノ基、シクロヘキシル基、Ｃ１〜Ｃ６アルキルアミノ基または（Ｃ１〜Ｃ６アルキル）２アミノ基を示し、Ｒ６が水素原子、ハロゲン原子、ヒドロキシ基、Ｃ１〜Ｃ６アルキル基、Ｃ１〜Ｃ６アルコキシ基、アミノ基、Ｃ１〜Ｃ６アルキルアミノ基または（Ｃ１〜Ｃ６アルキル）２アミノ基を示す請求項３記載の化合物。
【請求項５】
Ｒ４が水素原子を示す請求項４記載の化合物。
【請求項６】
Ｒ３が次式で表される基を示す請求項５記載の化合物。
【化１５】
2005501072.tif 000015
【請求項７】
Ｒ１が水素原子、ハロゲン原子、ヒドロキシ基、Ｃ１〜Ｃ６アルキル基またはＣ１〜Ｃ６アルコキシ基を示し、Ｒ２が水素原子、ハロゲン原子、ヒドロキシ基、Ｃ１〜Ｃ６アルキル基またはＣ１〜Ｃ６アルコキシ基を示し、Ｒ５が水素原子、ハロゲン原子、ヒドロキシ基、Ｃ１〜Ｃ６アルキル基またはＣ１〜Ｃ６アルコキシ基を示し、Ｒ６が水素原子、ハロゲン原子、ヒドロキシ基、Ｃ１〜Ｃ６アルキル基またはＣ１〜Ｃ６アルコキシ基を示す請求項６記載の化合物。
【請求項８】
１種または複数種の薬学的に許容されるキャリヤー、賦形剤または希釈剤と共に、活性成分として請求項１から７いずれかに記載の化合物を含有する薬学的配合剤。
【請求項９】
請求項１から７いずれかに記載の化合物を、ヒトの性的応答を調整するために使用する方法。
【請求項１０】
ヒトが女性である請求項９記載の方法。
【請求項１１】
請求項１から７いずれかに記載の化合物を、男性のインポテンスの処置のために使用する方法。
【手続補正書】
【提出日】平成17年7月28日(2005.7.28)
【手続補正１】
【補正対象書類名】特許請求の範囲
【補正対象項目名】請求項１
【補正方法】変更
【補正の内容】
【請求項１】
シタロプラムの製造方法において、
（ａ）式、
2005501056.tif 000001
の５−ホルミルフタリドを、式、
2005501056.tif 000002
のヒドロキシルアミン、ここでＲは水素原子（ＩＩａ）、又はグリニヤール反応の条件下で不活性である置換基Ｒ’（ＩＩｂ）である、で処理すること、
（ｂ）このようにして得られた式、
2005501056.tif 000003
のオキシム、ここでＲは上で定義された通りである、をＲ＝Ｒ’（ＩＩＩｂ）のときはそのまま、又はＲ＝Ｈ（ＩＩＩａ）のときはＲ’によるＲの置換後に、４−フルオロフェニルマグネシウムハライドと反応させること、
（ｃ）式、
2005501056.tif 000004
の中間体ケトン、ここでＲ’は上で定義された通りであり、Ｒ’’はＭｇＨａｌ（ＩＶａ）を表し、ここでＨａｌはハロゲン、又は水素（ＩＶｂ）である、を[３−（ジメチルアミノ）プロピル]マグネシウムハライドと反応させること、
(ｄ)式、
2005501056.tif 000005
ここでＲ’は上で定義されたとおりである、の中間体ジオールを環化させること、
（ｅ）式、
2005501056.tif 000006
の置換されたオキシムのＲ’基、ここでＲ’は上で定義された通りである、を除去すること、 及び
（ｆ）式、
2005501056.tif 000007
のオキシムの無置換のオキシイミノ基をニトリルへと転化して、シタロプラム（Ａ）又はその薬学的に許容可能な塩を与えること、あるいは
（ｅ’）任意的に、Ｒ’がトリフェニルメチル又はジフェニルメチルであるとき、式ＶＩのオキシムの置換されたオキシイミノ基 をそのまま式、
2005501056.tif 000008
ここでＲ’’’はＣ1〜Ｃ6のアルキル基、アラルキル基、又はアリール基を表す、の混合酸無水物で処理することによりニトリルへと転化して、シタロプラム（Ａ）又はその薬学的に許容可能な塩を与えること
を含む方法。
【手続補正２】
【補正対象書類名】特許請求の範囲
【補正対象項目名】請求項１２
【補正方法】変更
【補正の内容】
【請求項１２】
上記混合物が、１：１．２５のモル比の蟻酸及び酢酸無水物から製造されるところの、請求項１１に記載の方法。
【手続補正３】
【補正対象書類名】特許請求の範囲
【補正対象項目名】請求項１６
【補正方法】変更
【補正の内容】
【請求項１６】
Ｒがトリフェニルメチル又はジフェニルメチルから選択された置換基Ｒ’を表すところの、請求項１５に記載の化合物。
【手続補正書】
【提出日】平成17年7月28日(2005.7.28)
【手続補正１】
【補正対象書類名】特許請求の範囲
【補正対象項目名】請求項１
【補正方法】変更
【補正の内容】
【請求項１】
双極性の非プロトン性溶媒に溶解された式、
2005501057.tif 000001
のハロゲン化物、ここでＨａｌは塩素、臭素、又は沃素を表す、を水素化に付することを含むところの、
式、
2005501057.tif 000002
の５−ホルミルフタリドの製造方法。
【手続補正２】
【補正対象書類名】明細書
【補正対象項目名】００１０
【補正方法】変更
【補正の内容】
【００１０】
このように、本発明は、式、
2005501057.tif 000003
の５−ホルミルフタリドの製造方法を提供し、該方法は、双極性の非プロトン性溶媒中に溶解された式、
2005501057.tif 000004
ここで、Ｈａｌは、塩素、臭素、又は沃素を表す、のハロゲン化物を水素化に付することを含む。
【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
組織中の標的部位への薬剤のターゲティング方法であって、
（ａ）該標的部位上の抗原に結合するターゲティングアームとポリマー複合物に結合する捕捉アームとを含む、多特異性抗体または抗体フラグメントを、該組織に投与するステップと、
（ｂ）該捕捉アームに結合するポリマー複合物であって、治療薬、ペプチド、酵素、および標識リガンドからなる群から選択される該薬剤に複合化したポリマーを含むポリマー複合物を、該組織に投与するステップと
を含む方法。
【請求項２】
被験体の組織または組織サンプル内の標的部位のターゲティングに有用なキットであって、
（ａ）該組織内の抗原に結合するターゲティングアームとポリマー複合物に結合する捕捉アームとを含む多特異性抗体または抗体フラグメントと、
（ｂ）該捕捉アームに結合するポリマー複合物であって、治療薬、ペプチド、酵素、および標識リガンドからなる群から選択される該薬剤に結合したポリマーを含むポリマー複合物と
を含むキット。
【手続補正書】
【提出日】平成17年6月28日(2005.6.28)
【手続補正１】
【補正対象書類名】明細書
【補正対象項目名】００１６
【補正方法】変更
【補正の内容】
【００１６】
カルシウムドベシレートは、１０μMの濃度で、統計的に有意な態様において、ヒト陰茎の抵抗性動脈における一酸化窒素作動性終末反応の頻度を増加せしめる電気刺激によって生じる弛緩に対する１０nMのシルデナフィルによる効果を促す（図４）。
【手続補正書】
【提出日】平成17年8月5日(2005.8.5)
【手続補正１】
【補正対象書類名】特許請求の範囲
【補正対象項目名】請求項５
【補正方法】変更
【補正の内容】
【請求項５】
i) 単離された細胞外マトリックス成分から作製された細胞外マトリックス、
ii) タンパク質またはアミノ酸、ヌクレオシド、および脂質を含む、新鮮な等張培地、ならびに
iii) 線維芽細胞増殖因子
を含む、多能性幹細胞の集団を拡大するための培養環境であって、
ヒト胚盤胞から単離または増殖された多能性幹細胞が
a) 培養環境中で培養され、かつ
b) 集団内の細胞数が少なくとも10倍拡大されるまで、任意で、該成分を含む新たな培養環境中で1回または複数回継代される場合、
少なくとも50％の細胞が未分化であって内胚葉、中胚葉、および外胚葉の派生体への分化を引き起こされ得るような細胞集団が得られる、培養環境。
【手続補正書】
【提出日】平成17年5月13日(2005.5.13)
【手続補正１】
【補正対象書類名】特許請求の範囲
【補正対象項目名】全文
【補正方法】変更
【補正の内容】
【特許請求の範囲】
【請求項１】
ポリペプチドであって、（ａ）配列番号１５８のアミノ酸配列もしくは配列番号１５８のアミノ酸配列と９８％以上の同一性を有するアミノ酸配列；または（ｂ）配列番号１６７のアミノ酸１〜２４７もしくは配列番号１６７のアミノ酸１〜２４７と９８％以上の類似性を有するアミノ酸配列を含む、ポリペプチド。
【請求項２】
配列番号１４６を含むか、もしくは配列番号１４６と９５％以上の同一性を有する、核酸。
【請求項３】
配列番号１４８を含むか、もしくは配列番号１４８と９５％以上の同一性を有する、請求項２に記載の核酸。
【請求項４】
配列番号１５０を含むか、もしくは配列番号１５０と９５％以上の同一性を有する、請求項２に記載の核酸。
【請求項５】
配列番号１５２を含むか、もしくは配列番号１５２の核酸配列と９５％以上の同一性を有する、請求項２に記載の核酸。
【請求項６】
配列番号１５５を含むか、もしくは配列番号１５５と９５％以上の同一性を有する、請求項２に記載の核酸。
【請求項７】
配列番号１５７を含むか、もしくは配列番号１５７と９５％以上の同一性を有する、請求項２に記載の核酸。
【請求項８】
配列番号１６６を含むか、もしくは配列番号１６６と９５％以上の同一性を有する、請求項２に記載の核酸。
【請求項９】
細胞内で、アポトーシス誘導を促進する薬剤を同定する方法であって、該方法は、以下の工程：
（ａ）該薬剤を請求項１に記載のポリペプチドまたは請求項２に記載の核酸と接触させる工程であって、該薬剤は、該ポリペプチドまたは該核酸に結合する、工程；
（ｂ）該薬剤を該細胞内に導入する工程；および
（ｃ）該細胞内でアポトーシスレベルを測定する工程であって、該細胞内のアポトーシスレベルの増加は、該薬剤がアポトーシス誘導を促進することを示す、工程
を包含する、方法。
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
アミノ酸配列ＸＡXＡ3Ａ1Ａ2Ａ1Ｙを有するペプチド又は前記ペプチドの機能的等価物を含み、ヒトＰ-セレクチンに対する親和性を有する化合物。
（式中、
Ａ1がＤ-若しくはＬ-システイン（Ｃ）、Ｄ-若しくはＬ-メチオニン（Ｍ）、Ｄ-若しくはＬ-バリン（Ｖ）、それらのアナログ又はそれらの模倣物質であり；
Ａ2がＤ-若しくはＬ-アスパラギン酸（Ｄ）、それらのアナログ又はそれらの模倣物質であり；
Ａ3がＤ-若しくはＬ-フェニルアラニン（Ｆ）、Ｄ-若しくはＬ-チロシン（Ｙ）、Ｄ-若しくはＬ-トリプトファン（Ｗ）、それらのアナログ又はそれらの模倣物質であり；
ＡXがＤ-若しくはＬ-アミノ酸のアナログ又はそれらの模倣物質であり；かつ
Ｘが配列のＮ-末端側を示し、Ｙが配列のＣ-末端側を示す；又は
ＸとＹが一緒になって環式系を形成する。）
【請求項２】
アミノ酸配列がＮ-末端又はＣ-末端にアミノ酸Ａ4を更に含み、Ａ4が親水性の側鎖を含むＤ-若しくはＬ-アミノ酸又は前記アミノ酸のアナログである請求項１記載の化合物。
【請求項３】
ＡXが、Ｄ-若しくはＬ-グルタミン酸（Ｅ）を表すか又はＡ2を含む、請求項１又は２に記載の化合物。
【請求項４】
Ａ1がバリン（Ｖ）である、請求項１又は２に記載の化合物。
【請求項５】
Ａ3がトリプトファン（Ｗ）である、請求項１−４のいずれか１項に記載の化合物。
【請求項６】
Ｘが少なくとも二つのアミノ酸を含み、その一つがアスパラギン酸（Ｄ）である、請求項１−５のいずれか１項に記載の化合物。
【請求項７】
環式骨格構造又は束縛骨格構造を含む、請求項１−６のいずれか１項に記載の化合物。
【請求項８】
請求項１−７で規定されるペプチド及びそれらの機能的等価物のうちの少なくとも二つを含む請求項１−７のいずれか１項に記載の化合物であって、
Ｐ−セレクチンへの結合に関して、前記少なくとも二つのうちの一つの親和性定数よりも1/20以上小さい親和性定数を有する前記化合物。
【請求項９】
請求項１−８のいずれか１項に記載の化合物を調製する方法であって、
アミノ酸モノマー、アミノ酸オリゴマー又はアミノ酸アナログ若しくはアミノ酸模倣物質のモノマー若しくはオリゴマーが化学的又は酵素的連結によって組立てられ、その組立てが液相及び/又は機能的固相に対する界面で行われる前記方法。
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
インビトロの樹状細胞による抗原提示を増強する方法であって、
（ａ）分離樹状細胞集団を抗原に曝露するステップと、
（ｂ）トル様受容体６、トル様受容体７、またはトル様受容体８の作動薬である免疫反応調整剤分子と分離樹状細胞を接触させるステップと、
（ｃ）樹状細胞を処理し、抗原を提示させるステップと、
を含む、前記方法。
【請求項２】
成熟樹状細胞の集団を得る方法であって、
（ａ）トル様受容体６、トル様受容体７、またはトル様受容体８の作動薬である免疫反応調整剤分子を対象の成熟樹状細胞に有効な量で対象に投与するステップと、
（ｂ）成熟樹状細胞を分離するステップと、
を含む、前記方法。
【請求項３】
形質細胞様樹状細胞によるサイトカイン産生を検出する方法であって、
（ａ）形質細胞様樹状細胞がＩＬ−８、ＩＰ−１０、ＩＬ−６、ＭＩＰ−１α、およびＩＦＮ−ωから選択される１つ以上のサイトカインを産生するように促すために有効な量でトル様受容体６、トル様受容体７、またはトル様受容体８の作動薬である免疫反応調整剤分子と分離形質細胞様樹状細胞を接触させるステップと、
（ｂ）樹状細胞によるサイトカインの少なくとも１つの産生を検出するステップと、
を含む、前記方法。
【請求項４】
形質細胞様樹状細胞による共刺激マーカーの発現を検出する方法であって、
（ａ）形質細胞様樹状細胞が１つ以上の共刺激マーカーを発現するように促すために有効な量でトル様受容体６、トル様受容体７、またはトル様受容体８の作動薬である免疫反応調整剤分子と分離形質細胞様樹状細胞を接触させるステップと、
（ｂ）形質細胞様樹状細胞による少なくとも１つの共刺激マーカーの発現を検出するステップと、
を含む、前記方法。
【請求項５】
分離形質細胞様樹状細胞の生存を増強する方法であって、
（ａ）形質細胞様樹状細胞の生存を増強するために有効な量でトル様受容体６、トル様受容体７、またはトル様受容体８の作動薬である免疫反応調整剤分子と分離形質細胞様樹状細胞を接触させるステップと、
（ｂ）形質細胞様樹状細胞の少なくとも３０％が少なくとも４８時間生存するような条件下に形質細胞様樹状細胞をインキュベートするステップと、
を含む、前記方法。
【請求項６】
形質細胞様樹状細胞によるケモカイン受容体の発現を検出する方法であって、
（ａ）形質細胞様樹状細胞が１つ以上のケモカイン受容体を発現するように促すために有効な量でトル様受容体６、トル様受容体７、またはトル様受容体８の作動薬である免疫反応調整剤分子と分離形質細胞様樹状細胞を接触させるステップと、
（ｂ）少なくとも１つのケモカイン受容体の発現を検出するステップと、
を含む、前記方法。
【請求項７】
ケモカイン受容体を発現する細胞で豊富化された細胞集団を調製する方法であって、
（ａ）形質細胞様樹状細胞が１つ以上のケモカイン受容体を発現するように促すために有効な量でトル様受容体６、トル様受容体７、またはトル様受容体８の作動薬である免疫反応調整剤分子と分離形質細胞様樹状細胞を接触させるステップと、
（ｂ）細胞集団をケモカイン受容体を発現する細胞で豊富化するステップと、
を含む、前記方法。
【請求項８】
患者における疾患を治療するための医薬組成物であって、豊富化された細胞集団を含み、該豊富化された細胞集団が以下のステップ：
（ａ）形質細胞様樹状細胞が１つ以上のケモカイン受容体を発現するように促すために有効な量でトル様受容体６、トル様受容体７、またはトル様受容体８の作動薬である免疫反応調整剤分子と分離形質細胞様樹状細胞を接触させるステップと、
（ｂ）疾患と関連した抗原と形質細胞様樹状細胞の集団を接触させるステップと、
（ｃ）少なくとも１つのケモカイン受容体を高レベルで発現する細胞で細胞集団を豊富化するステップと、
（ｄ）豊富化した細胞集団を患者に投与するステップと、
を含む方法により調製される、前記医薬組成物。
【請求項９】
疾患の治療用の細胞様補助剤を調製する方法であって、
（ａ）トル様受容体６、トル様受容体７、またはトル様受容体８の作動薬である免疫反応調整剤分子で樹状細胞を処理することによってインビトロで形質細胞様樹状細胞を成熟させるステップと、
（ｂ）成熟樹状細胞を前記疾患と関連した抗原に曝露するステップと、
を含む、前記方法。
【請求項１０】
以下の：
（ａ）トル様受容体６、トル様受容体７、またはトル様受容体８の作動薬である免疫反応調整剤分子で樹状細胞を処理することによってインビトロで形質細胞様樹状細胞を成熟させるステップと、
（ｂ）成熟樹状細胞を前記疾患と関連した抗原に曝露するステップと、
を含む方法によって調製される細胞様補助剤。
【請求項１１】
請求項１０に記載の細胞様補助剤を含む医薬組成物であって、哺乳動物における疾患を治療するための、前記医薬組成物。
【請求項１２】
トル様受容体６、トル様受容体７、またはトル様受容体８の作動薬である免疫反応調整剤分子で刺激することによって成熟されている形質細胞様樹状細胞の治療有効量を含む医薬組成物であって、哺乳動物における疾患を治療するための、前記医薬組成物。
【手続補正書】
【提出日】平成17年8月23日(2005.8.23)
【手続補正１】
【補正対象書類名】特許請求の範囲
【補正対象項目名】全文
【補正方法】変更
【補正の内容】
【特許請求の範囲】
【請求項１】
クマホスおよびダイアジノンの混合物、ポリ塩化ビニル並びに可塑剤から形成された成形品を含み、約４ヶ月までの期間で虫制御剤を有効に放出する、動物に取り付けるための虫制御装置。
【請求項２】
クマホスおよびダイアジノンが、装置総量の約１０〜約６０質量％の量で存在する請求項１に記載の装置。
【請求項３】
成形品が、耳のタグの形態である請求項１または２に記載の装置。
【請求項４】
クマホスが、装置総量の約３〜約３０質量％の量で存在する請求項２に記載の装置。
【請求項５】
ダイアジノンが、装置総量の約１０〜約３０質量％の量で存在する請求項２に記載の装置。
【請求項６】
クマホスが装置総量の約３〜約３０質量％の量で存在し、ダイアジノンが約１０〜約３０質量％の量で存在し、ポリ塩化ビニルが約３０〜約７０質量％の量で存在し、可塑剤が０〜約３０質量％で存在する請求項１に記載の装置。
【請求項７】
成形品が、耳のタグの形態である請求項６に記載の装置。
【手続補正書】
【提出日】平成17年8月17日(2005.8.17)
【手続補正１】
【補正対象書類名】特許請求の範囲
【補正対象項目名】請求項１５
【補正方法】変更
【補正の内容】
【請求項１５】
電気モータとして形成された前記動力ドライブを駆動する別個のバッテリーパックに電気的に接続されており、前記バッテリーパックが解放時に装置を停止させるスイッチを保有している請求項１〜１４のいずれかに記載の装置。
【手続補正書】
【提出日】平成17年8月15日(2005.8.15)
【手続補正１】
【補正対象書類名】明細書
【補正対象項目名】００３５
【補正方法】変更
【補正の内容】
【００３５】
ＳＳＣＰおよび配列解析：
ＭＣＨ−Ｒのエキソン１のフランキング領域のプライマー：ＭＣＨ−Ｒ−１Ｆ（配列番号１）；５’ＧＣＴＣＡＧＣＴＣＧＧＴＴＧＴＧＧ−３’（１００２８６−１００３０２；ＮＣＢＩ：Ｚ８６０９０）、および、ＭＣＨ−Ｒ−１Ｒ；５’ＧＣＡＧＴＴＴＧＧＣＴＣＡＧＧＧＧ−３’ （配列番号２）（１００４８４−１００４６８；ＮＣＢＩ：Ｚ８６０９０）（１９９ｂｐ）、ならびに、ＭＣＨ−Ｒのエキソン２を増幅させるプライマー：ＭＣＨ−Ｒ−２ａ−Ｆ；５’ＧＣＣＣＡＴＧＴＣＡＡＡＣＡＧＣＣＡＡＣ−３’（配列番号３）（１０１５８２−１０１６０１；ＮＣＢＩ：Ｚ８６０９０）、および、ＭＣＨ−Ｒ−２ａ−Ｒ；５’ＡＧＧＧＴＧＡＡＣＣＡＧＴＡＧＡＧＧＴＣ−３’（配列番号４）（１０２１６９−１０２１５０；ＮＣＢＩ：Ｚ８６０９０）（５８８ｂｐ）、および、ＭＣＨ−Ｒ−２ｂ−Ｆ；５’ＴＧＣＣＡＧＡＣＴＣＡＴＣＣＣＣＴ−３’（配列番号５）（１０２０８３−１０２０９９；ＮＣＢＩ：Ｚ８６０９０）、および、ＭＣＨ−Ｒ−２ｂ−Ｒ；５’ＴＴＧＧＡＧＧＴＧＴＧＣＡＧＧＧＴ−３’（配列番号６）（１０２６３２−１０２６０１６；ＮＣＢＩ：Ｚ８６０９０）（５５０ｂｐ）を用いて、標準的なプロトコールに従いＰＣＲを行った。ＳＳＣＰの前に、ＭＣＨ−Ｒ−２ａＦ／２ａＲの産物をＡｌｕＩ（認識配列：ＡＧ↓ＣＴ；Fermentas，St．Leon Rot，Germany）およびＭｓｐＩ（認識配列：Ｃ↓ＣＧＧ；Fermentas，St．Leon Rot，Germanｙ）の両方で消化し、ＭＣＨ−Ｒ−２ｂＦ／２ｂＲの産物をＣｒｆｌ３Ｉ（認識配列：Ｇ／ＧＮＣＣ；Fermentas，St．Leon Rot，Germany）により消化した。消化されたＰＣＲ断片（エキソン２）および短いＰＣＲ断片（エキソン１）をホルムアミド含有緩衝液で希釈し、２１％アクリルアミドゲル（３７.５：１，Ｑ  Biogene，Heidelberg，Germany）上で、０.５×ＴＢＥ緩衝液（４５ｍＭのトリス−ＨＣｌ；４５ｍＭのBorate、および、１.１ｍＭのＥＤＴＡ）中で電気泳動した。ゲルを１６ｃｍの長さにし、２種の異なる条件：ａ）室温、１６時間、４００Ｖ、および、ｂ）４℃、１７時間、５００Ｖ、で泳動した。ゲルを銀染色した。
【手続補正書】
【提出日】平成17年8月3日(2005.8.3)
【手続補正１】
【補正対象書類名】特許請求の範囲
【補正対象項目名】全文
【補正方法】変更
【補正の内容】
【特許請求の範囲】
【請求項１】
トロカールであって、
カニューレ部材付近の末端に形成された第１カム作用面、及び、カニューレ部材の遠位末端に形成された放射状に広がる開口部を有する細長いカニューレ部材、
カニューレ内での回転運動及び軸に沿った運動のためにカニューレ内部に挿入するのに適した細長い閉塞具、
シャフトの遠位末端に形成された先端であって、最大径バンドからは遠位にだんだん細くなり、該バンドからはシャフトに向かって近位にだんだん細くなるものであり、該バンドの周囲の長さは遠位のカニューレ開口部よりも大きい先端
を含み、
該バンドは、閉塞具を実質的に完全に挿入した際に、遠位のカニューレ開口部と遠位に隣り合うものであり、
閉塞具の近位末端に形成されたキャップであって、閉塞具をカニューレに実質的に完全に挿入した際に第１カム作用面と噛み合うための第２カム作用面を有するキャップ
を含み、
該第一及び第２カム作用面は、キャップをカニューレ部材に対して回転させた際にカニューレ部材に対する閉塞具の近位の軸に沿った変位を生じさせるのに効果的であり、該遠位のカニューレ開口部は最大径バンドが近位に中を通って移動するにつれて放射状に広がるものである、
トロカール。
【請求項２】
第１カム作用面と第２カム作用面の少なくとも一つが傾斜面を含むものである、請求項１記載のトロカール。
【請求項３】
第１カム作用面と第２カム作用面の少なくとも一つが、突起、凹み、及び張出しのうちの一つを含むものである、請求項１又は請求項２記載のトロカール。
【請求項４】
第１カム作用面と第２カム作用面の少なくとも一つが、直線及び曲線状の面のうち一つを含むものである、請求項１〜請求項３いずれか１項に記載のトロカール。
【請求項５】
カニューレの近位末端に形成された第１カム作用面が、カニューレの近位末端に位置する頭部組立品の外面に突起面を含み、少なくとも一つの第２カム作用面が、閉塞具のキャップ組立品の外面に配置された凹みの面を含むものである、請求項１〜請求項４いずれか1項に記載のトロカール。
【請求項６】
頭部組立品の外面上にある突起が楕円形の突起を含み、キャップの外面上の凹みが楕円形の凹みを含むものである、請求項５記載のトロカール。
【請求項７】
第１カム作用面が第１対向面 (a first bearing surface)を含み、第２カム作用面が第２対向面を含むものである、請求項１〜請求項６いずれか１項に記載のトロカール。
【請求項８】
カニューレ上にある第１カム作用面がカニューレに対して移動可能である、請求項１〜請求項７いずれか１項に記載のトロカール。
【請求項９】
閉塞具のキャップ上にある第２カム作用面が閉塞具に対して移動可能である、請求項１〜請求項８いずれか１項に記載のトロカール。
【請求項１０】
カニューレがその近位末端に形成された頭部組立品をさらに含み、頭部組立品が液体の漏れが殆ど又は全くなしに頭部組立品を通って閉塞具を通過させる密閉部を含むものである、請求項１〜請求項９いずれか１項に記載のトロカール。
【請求項１１】
頭部組立品が流体出入口（fluid port）をさらに含むものである、請求項１０記載のトロカール。
【請求項１２】
流体出入口がバルブを含むものである、請求項１１記載のトロカール。
【請求項１３】
カニューレ及び閉塞具の少なくとも一つが非金属である、請求項１〜請求項１２いずれか１項に記載のトロカール。
【請求項１４】
カニューレ部材の第１端にある該放射状に広がる開口部が、滑らかで途切れのない円周状の壁を含むものである、請求項１〜請求項１３いずれか１項に記載のトロカール。
【請求項１５】
閉塞具の近位末端上に形成されたキャップが底面を含み、該底面が第２カム作用面を含むものである、請求項１〜請求項１４いずれか１項に記載のトロカール。
【請求項１６】
該底面が曲線の形状である、請求項１５記載のトロカール。
【請求項１７】
細長いカニューレ部材が、上面を含む頭部組立品を含み、第１カム作用面が頭部組立品の上面を含むものである、請求項１〜請求項１６いずれか１項に記載のトロカール。
【請求項１８】
該上面が曲線の形状である、請求項１７記載のトロカール。
【請求項１９】
閉塞具の近位末端上に形成されたキャップが、外科医による操作及び回転を容易にする形状を含むものである、請求項１〜請求項１８いずれか１項に記載のトロカール。
【請求項２０】
閉塞具の近位末端に形成されたキャップが楕円の形状である、請求項１〜請求項１９いずれか１項に記載のトロカール。
【手続補正書】
【提出日】平成17年6月23日(2005.6.23)
【手続補正１】
【補正対象書類名】特許請求の範囲
【補正対象項目名】全文
【補正方法】変更
【補正の内容】
【特許請求の範囲】
【請求項１】
入口開口を含む通路を画定しており、該通路が体液を受け取るために構成され、切開場所に隣接して位置づけられたサンプリング部材と、
前記入口開口に隣接する位置でサンプリング部材に結合された第１の部分を有する滲み出し部材と
を備え、当該滲み出し部材が第１の部分から除去された第２の部分をさらに含み、該第２の部分が、前記サンプリング部材が切開場所に隣接して位置づけられたとき、第１の部分より切開場所に近いサンプリング装置。
【請求項２】
入口開口を含む、体液の受け取りのために構成された通路を画定しているサンプリング部材を含むサンプリング装置を設ける工程であって、該サンプリング部材が、該入口開口に隣接する位置でサンプリング部材に結合された第１の部分を有する滲み出し部材をさらに含み、該滲み出し部材が第１の部分から除去された第２の部分をさらに含むサンプリング装置を設ける工程と、
前記サンプリング装置を、滲み出し部材の第２の部分を第１の部分より切開場所に接近させるように切開場所に隣接して位置づける工程と
を含んでなる切開場所から体液を採取する方法。
【請求項３】
前記サンプリング部材が、上面、底面、および該上面から底面に延び、切開場所を取り囲むように構成された隙間を有し、
前記入口開口が前記隙間内に開放し、
前記滲み出し部材が隙間内に延びてなる請求項１記載のサンプリング装置。
【請求項４】
液体の漏れを最小にするために、前記サンプリング部材の底面で前記隙間を取り囲むシール部材をさらに備えてなる請求項３記載のサンプリング装置。
【請求項５】
前記シール部材が体液の通過を抑制するための疎水性の面を含んでなる請求項４記載のサンプリング装置。
【請求項６】
切開場所の周りに皮膚の膨出を生成するために、底面から延びる締めつけシステムをさらに備えてなる請求項４記載のサンプリング装置。 
【請求項７】
体液を検査するために通路と液体伝達する検査領域をさらに備えてなる請求項１記載のサンプリング装置。
【請求項８】
前記検査領域が、吸収性の材料を被覆する検査試薬を含む請求項７記載のサンプリング装置。 
【請求項９】
前記サンプリング部材が隙間を画定し、前記滲み出し部材が当該隙間内に延び、
穿刺装置が皮膚を突き刺すためのランセットを含み、当該穿刺装置が前記サンプリング装置が受け止められるスロットを画定し、前記サンプリング部材の隙間が、当該ランセットが隙間を通して皮膚を突き刺すように位置合わせして位置づけられてなる
請求項１記載のサンプリング装置。
【手続補正書】
【提出日】平成17年8月1日(2005.8.1)
【手続補正１】
【補正対象書類名】特許請求の範囲
【補正対象項目名】全文
【補正方法】変更
【補正の内容】
【特許請求の範囲】
【請求項１】
患者の体液の少なくとも一部分を腎臓の外部で尿細管細胞と接触させることを特徴とするＳＩＲＳ症候群治療剤の製造方法。
【請求項２】
前記患者が敗血症である、請求項１に記載の方法。
【請求項３】
前記体液が血液である、請求項１に記載の方法。
【請求項４】
前記体液が血漿である、請求項１に記載の方法。
【請求項５】
前記体液が血漿の限外濾過液である、請求項１に記載の方法。
【請求項６】
前記体液を尿細管細胞と体外で接触させる、請求項１に記載の方法。
【請求項７】
前記体液を尿細管細胞と患者の体内で接触させる、請求項１に記載の方法。
【請求項８】
前記体液を尿細管細胞と尿細管補助装置内で接触させる、請求項１に記載の方法。
【請求項９】
前記尿細管補助装置が体外である、請求項８に記載の方法。
【請求項１０】
前記尿細管補助装置が患者に埋め込まれている、請求項８に記載の方法。
【請求項１１】
前記患者が腎臓疾患にも罹患している、請求項１に記載の方法。
【請求項１２】
前記患者が末期腎臓疾患に冒されている、請求項１１に記載の方法。
【請求項１３】
前記患者が血液透析又は腹膜透析を受けている患者である、請求項１１に記載の方法。
【請求項１４】
前記患者が腎臓疾患に罹患していない、請求項１に記載の方法。
【請求項１５】
ＳＩＲＳ患者治療剤の製造方法であって、
患者から体液の一部を取りだす段階と、
取り出した体液を尿細管細胞と接触させる段階とを含み、
当該治療剤が尿細管細胞と接触させた体液の少なくとも一部を患者に戻すためのものである製造方法。
【請求項１６】
前記患者が敗血症である、請求項１５に記載の方法。
【請求項１７】
前記体液が血液である、請求項１５に記載の方法。
【請求項１８】
前記体液が血漿の限外濾過液である、請求項１５に記載の方法。
【請求項１９】
前記体液を尿細管細胞と尿細管補助装置内で接触させる、請求項１５に記載の方法。
【請求項２０】
前記患者が腎臓疾患にも罹患している、請求項１５に記載の方法。
【請求項２１】
前記患者が末期腎臓疾患に冒されている、請求項２０に記載の方法。
【請求項２２】
前記患者が血液透析又は腹膜透析を受けている、請求項２０に記載の方法。
【請求項２３】
前記患者が腎臓疾患に冒されていない、請求項１５に記載の方法。
【請求項２４】
請求項１〜１４のいずれか１項記載の方法により得られるＳＩＲＳ症候群治療剤。
【請求項２５】
請求項１５〜２３のいずれか１項記載の方法より得られるＳＩＲＳ患者の治療剤。